(57)【要約】【課題】電源のノイズを意識することなく、電源の自由な引き回しができ、電源基板の自由な配置が可能で、異常な電源が遊技機に接続された場合であっても、電源基板の前段で電源を遮断して電源基板及びその他の基板の破損を防止することができる遊技機を提供することにある。【解決手段】電源からノイズを除去するためのフィルタ回路と、電源が異常であった場合に電源を遮断する遮断回路とを有するフィルタ基板を備え、電源基板にはフィルタ基板を介して電源が供給されることを特徴とする。【選択図】　図２
2004073666.tif 000002
【特許請求の範囲】
【請求項１】
遊技機の外部からの電源を所定の電圧に変換するための電源基板を備えた遊技機において、
該電源からノイズを除去するためのフィルタ回路と、該電源が異常であった場合に該電源を遮断する遮断回路とを有するフィルタ基板を備え、
前記電源基板には該フィルタ基板を介して該電源が供給されることを特徴とする遊技機。
【請求項２】
前記フィルタ基板を、前記電源が前記遊技機に最初に接近する位置に配設したことを特徴とする請求項１記載の遊技機。
【請求項３】
前記フィルタ回路を、過電圧保護素子で構成したことを特徴とする請求項１又は請求項２記載の遊技機。
【請求項４】
前記遮断回路を、ヒューズで構成したことを特徴とする請求項１〜請求項３のいずれかに記載の遊技機。
【請求項５】
前記遮断回路を、復帰可能な断続器で構成したことを特徴とする請求項１〜請求項３のいずれかに記載の遊技機。
【請求項６】
前記電源の入切を行うための電源スイッチを前記フィルタ基板に備えたことを特徴とする請求項１〜請求項５のいずれかに記載の遊技機。
【発明の詳細な説明】
【０００１】
【発明の属する技術分野】
本発明は、パチンコ遊技機やスロットマシン等の遊技機における電源構成に関する。
【０００２】
【従来の技術】
パチンコ遊技場内の電灯や空調機器など供給される商用１００ボルト交流電源は、パチンコ遊技機に隣接配置された玉貸用のカードユニットにも直接供給される。また、商用１００ボルト交流電源は、パチンコ遊技機外に設置されたトランスにより２４Ｖ交流電源に降圧された後、パチンコ遊技機に供給される。
そして、前記２４Ｖ交流電源は、各パチンコ遊技機内に個々に設けられた電源基板によって、パチンコ遊技機内の各機器で要求される電圧に変換されてから該各機器に供給される。
【０００３】
【発明が解決しようとする課題】
しかしながら、従来の遊技機では、作業者がパチンコ遊技機に隣接配置されたカードユニット用の商用１００ボルト交流電源をパチンコ遊技機の電源基板に誤って接続する場合があり、その場合、本来２４ボルト交流電源しか許容しない電源基板が破損されたり、パチンコ遊技機内の各機器、例えば、主基板などの基板が破損されたりすることがあった。
【０００４】
また、商用１００ボルト交流電源は、電灯や空調機器などのノイズを発生しやすい機器にも接続されているため、該ノイズがトランスで降圧したのみの２４ボルト交流電源にも回り込んでしまう。このため、パチンコ遊技機の電源基板に至るまでの２４ボルト交流電源の配線の近傍に、主基板などの基板が配設されていると、これらの基板が該ノイズにより誤動作する可能性があった。
【０００５】
本発明は、このような事情に鑑みてなされたもので、ノイズを意識することなく、２４ボルト交流電源電源の自由な引き回しができ、電源基板の自由な配置が可能で、異常な電源が遊技機に接続された場合であっても、電源基板の前段で電源を遮断して電源基板及びその他の基板の破損を防止することができる遊技機を提供することにある。
【０００６】
【課題を解決するための手段】
請求項１記載の遊技機は、電源からノイズを除去するためのフィルタ回路と、電源が異常であった場合に電源を遮断する遮断回路とを有するフィルタ基板を備え、電源基板にはフィルタ基板を介して電源が供給されることを特徴とする。
【０００７】
請求項２記載の遊技機は、フィルタ基板を電源が遊技機に最初に接近する位置に配設したことを特徴とする。
【０００８】
請求項３記載の遊技機は、フィルタ回路を過電圧保護素子で構成したことを特徴とする。
【０００９】
請求項４記載の遊技機は、遮断回路をヒューズで構成したことを特徴とする。
【００１０】
請求項５記載の遊技機は、遮断回路を復帰可能な断続器で構成したことを特徴とする。
【００１１】
請求項６記載の遊技機は、電源の入切を行うための電源スイッチをフィルタ基板に備えたことを特徴とする。
【００１２】
【発明の実施の形態】
以下、本発明の形態について図面を参照しながら具体的に説明する。図１は、本発明に係る遊技機の実施形態を示す背面図である。図２は、本発明に係る遊技機の実施形態を示す電源系統図である。図３は、本発明に係る遊技機のフィルタ基板の実施形態を示す回路図である。
【００１３】
図１〜図３において、遊技機１は、パチンコ遊技機やスロットマシン等であり、図１は一例としてパチンコ遊技機の背面図を示している。遊技機１は、パチンコ遊技機としての動作に必要な電気基板として、フィルタ基板２、電源基板３、払出制御基板４、主基板５，音声制御基板７，ランプ制御基板８，図柄制御基板９等を備えている。フィルタ基板２は、パチンコ遊技場の電源設備から供給された２４ボルト交流電源（以降、「ＡＣ２４Ｖ」と記載する。）を遊技機１に最初に取り入れる基板であり、ＡＣ２４Ｖ電源ケーブル１０によって、パチンコ遊技場の電源設備と接続されている。このパチンコ遊技場の電源設備では、商用１００ボルト交流電源をトランスによって２４ボルトに降圧してＡＣ２４Ｖを作り出している。
【００１４】
フィルタ基板２は、図３に示すように、コネクタ（ＣＮ１，ＣＮ２）、電源スイッチ（ＳＷ１）、ヒューズ（ＹＵ１）、サージアブソーバ（Ｚ１）、バリスタ（Ｚ２，Ｚ３）、コンデンサ（Ｃ１〜Ｃ３）、コイル（Ｌ１）等からなる電気基板である。フィルタ基板２は、入力側であるコネクタ（ＣＮ１）に遊技場の電源設備からのＡＣ２４Ｖ（ＡＣ２４Ｖ−Ａ，ＡＣ２４Ｖ−Ｂ）及びフレームＧＮＤ（ＦＧ）が接続される。ＡＣ２４Ｖの一方の電源ラインであるＡＣ２４Ｖ−Ａ側は、電源スイッチ（ＳＷ１）及びコイル（Ｌ１）を介して、出力側のコネクタ（ＣＮ２）に接続されている。また、ＡＣ２４Ｖの他方の電源ラインであるＡＣ２４Ｖ−Ｂ側は、ヒューズ（ＹＵ１）を介して、出力側のコネクタ（ＣＮ２）に接続されている。ここで、コイル（Ｌ１）は、コモンモードコイルである。
【００１５】
また、電源スイッチ（ＳＷ１）並びにヒューズ（ＹＵ１）とコイル（Ｌ１）との間の、ＡＣ２４Ｖ−Ａ側とＡＣ２４Ｖ−Ｂ側との間に、サージアブソーバ（Ｚ１）を設けている。同様に、ＡＣ２４Ｖ−Ａ側とＡＣ２４Ｖ−Ｂ側との間に、バリスタ（Ｚ２，Ｚ３）及びコンデンサ（Ｃ１，Ｃ２）をそれぞれ２個直列に連結して設けている。さらに、ＡＣ２４Ｖ−Ａ側とＡＣ２４Ｖ−Ｂ側との間に、コンデンサ（Ｃ３）を設けている。また、バリスタ（Ｚ２，Ｚ３）及びコンデンサ（Ｃ１，Ｃ２）のそれぞれの中点は、フレームＧＮＤ（ＦＧ）に接続されている。
【００１６】
電源基板２は、フィルタ基板２から供給されるＡＣ２４Ｖを、各基板のための直流電源に変換するための基板である。具体的には、ＡＣ２４Ｖから直流（ＤＣ）５Ｖ、ＤＣ１２Ｖ、ＤＣ２４Ｖ、ＤＣ３２Ｖ等を作り出している（図２のＤＣ電源系矢線）。このため、電源基板３は、電圧変換を行うためのトランスを備えている。このトランスが重量部品であるため、電源基板３は、他の基板に比べて重い基板である。
【００１７】
払出制御基板４は、貸球及び賞球を払い出す球払出装置１５を制御するための基板である。基板ユニット６は、音声制御基板７とランプ制御基板８とを収納するケースであり、音声制御基板７とランプ制御基板８とは、基板連結用のコネクタで接続されている。音声制御基板７は、遊技機１の遊技内容に応じた効果音を発生制御する基板である。ランプ制御基板８は、遊技板上に設けられたランプの点灯及び消灯を遊技機１の遊技内容に応じて制御する基板である。図柄制御基板９は、遊技板上に設けられた液晶等の図柄表示器の図柄を遊技機１の遊技内容に応じて制御する基板である。また、主基板５は、払出制御基板４、音声制御基板７、ランプ制御基板８、図柄制御基板９等を制御することにより、遊技機１全体の動作を司る基板である。
【００１８】
各基板の遊技機１における配置は、図１に示すように、フィルタ基板２が遊技機１の背面上部である。パチンコ遊技場の電源設備からのＡＣ２４Ｖが、天井から供給されることが一般的であるためである。電源基板３は、基板自体が重いことから、遊技機１の設置の安定性を考慮して遊技機１の背面下部に設けられている。図柄制御基板９は、遊技板のほぼ中央に位置する表示器の背面側に設けられている。主基板５は、各基板に対して結線を行う必要があることから、遊技機１の背面の図柄制御基板９と電源基板３との間で、遊技機１の背面ほぼ中央に設けられている。また、払出制御基板４、音声制御基板７、ランプ制御基板８は、主基板５を取り囲むように、遊技機１の背面に設けられている。
【００１９】
次に、フィルタ基板２の動作及び遊技機１内の電源供給の流れを説明する。まず、図２に示すように、パチンコ遊技場の電源設備からのＡＣ２４Ｖは、ＡＣ２４Ｖ電源ケーブル１０を介して、フィルタ基板２のコネクタ（ＣＮ１）に入力される。最初は、フィルタ基板２の電源スイッチ（ＳＷ１）をオフしておくことにより、遊技機１にはＡＣ２４Ｖが供給されていない状態である。電源スイッチ（ＳＷ１）をオンすることにより、ＡＣ２４Ｖは、フィルタ基板２上のＡＣ２４Ｖ−Ａ側及びＡＣ２４Ｖ−Ｂ側のラインを通り、コイル（Ｌ１）を介してコネクタ（ＣＮ２）に出力される。ＡＣ２４Ｖ−Ａ側及びＡＣ２４Ｖ−Ｂ側の間に、コンデンサ（Ｃ１〜Ｃ３）を備え、ＡＣ２４Ｖがコイル（Ｌ１）を通過することにより、ＡＣ２４Ｖのコモンモードノイズが除去される。すなわち、コイル（Ｌ１）及びコンデンサ（Ｃ１〜Ｃ３）で、フィルタ回路が形成されている。尚、このようなＬＣフィルタ回路に限らず、例えば、ＲＣフィルタ回路、スイッチトキャパシタフィルタ等の電源ライン用のフィルタ回路であればよい。
【００２０】
また、ＡＣ２４Ｖ−Ａ側及びＡＣ２４Ｖ−Ｂ側の間に設けられたサージアブソーバ（Ｚ１）又はバリスタ（Ｚ２，Ｚ３）により、ＡＣ２４Ｖに高電圧なサージが含まれていたとき、サージ電圧を抑制する。すなわち、サージアブソーバ（Ｚ１）及びバリスタ（Ｚ２，Ｚ３）は、過電圧保護素子として機能し、それぞれによりフィルタ回路を構成している。
【００２１】
さらに、フィルタ基板２には、ヒューズ（ＹＵ１）が設けられていることから、例えば、誤ってフィルタ基板２にＡＣ１００Ｖが供給されて過電流が流れた場合には、ヒューズ（ＹＵ１）が溶断してＡＣ１００Ｖを遮断する。また、電源基板３に異常があり、過電流が流れた場合にもヒューズ（ＹＵ１）が溶断してＡＣ２４Ｖを遮断する。すなわち、ヒューズ（ＹＵ１）により遮断回路を構成している訳であるが、遮断回路としてはヒューズ（ＹＵ１）に限られず、例えば、遮断後早急に容易に復帰が可能なブレーカ（断続器）であってもよい。
【００２２】
次に、フィルタ基板２でノイズ除去されたＡＣ２４Ｖは、図２に示すように、払出制御基板４で中継され、電源基板３及び遊技機１以外のカードユニット等に供給される（図２のＡＣ電源系矢線）。電源基板３は、ＡＣ２４Ｖから各基板に必要な直流電源を作り出して各基板に供給する（図２のＤＣ電源系矢線）。電源基板３から直流電源の供給を受けた各基板がそれぞれの動作をすることにより、遊技機１が動作する。
【００２３】
以上のように、本実施の形態における遊技機１によれば、電源基板３の前段に、コイル（Ｌ１）やコンデンサ（Ｃ１〜Ｃ３）及びサージアブソーバ（Ｚ１）やバリスタ（Ｚ２，Ｚ３）等によるフィルタ回路を備えるフィルタ基板２を設けることで、フィルタ基板２を経由した電源であるＡＣ２４Ｖのノイズが軽減されており、ノイズを意識することなく、電源基板の前段にフィルタ基板を備え、フィルタ回路により電源のノイズを除去していることから、電源のノイズを意識することなく、フィルタ基板２と電源基板３との間のＡＣ２４Ｖの配線を自由に引き回すことができ、電源基板３の自由な配置が可能となる。また、フィルタ基板２を電源であるＡＣ２４Ｖが遊技機１に最初に接近する位置に配設することにより、遊技機１内にはノイズを含む電源が引き回されることがなく、より一層自由な電源の引き回し及び電源基板３の配置が可能となる。本実施例では、ＡＣ２４Ｖが遊技機１の上方から供給される場合を説明したため、フィルタ基板２の位置も遊技機１の背面上部であったが、電源が遊技機１に最初に接近して供給される位置にフィルタ基板２を配設すればよい。すなわち、例えば電源が遊技機１の背面右側方から接近してきて供給される場合には、フィルタ基板２を遊技機１の背面右側に配設すればよい。
【００２４】
また、電源基板３とは異なる基板であるフィルタ基板２に、ヒューズ（ＹＵ１）等による遮断回路を備えることにより、商用１００ボルト交流電源のような異常な電源が遊技機１に接続された場合であっても、電源基板３の前段で電源が遮断され、電源基板３及びその他の基板の破損を防止することができる。
【００２５】
また、フィルタ基板２のフィルタ回路がサージアブソーバ（Ｚ１）やバリスタ（Ｚ２，Ｚ３）等の過電圧保護素子で構成されていることから、高電圧サージのような過電圧が電源に混入した場合でも、過電圧が除去され、電源基板３及びその他の基板の破損を防止することができる。また、過電流などで、サージアブソーバ（Ｚ１）やバリスタ（Ｚ２，Ｚ３）等が破損した場合でも、このような時はヒューズ（ＹＵ１）が溶断することで、フィルタ基板２全体として遮断回路が動作することとなり、電源基板３及びその他の基板の破損を防止することができる。そして、フィルタ基板２を交換するのみで、遊技機１を使用可能な状態にすることができ、部品代、修理代等を最小限に抑えることができる。
【００２６】
また、フィルタ基板２の遮断回路がヒューズ（ＹＵ１）で構成されていることから、異常な電源が遊技機１に接続されたことにより電源が遮断されても、電源を正常にした後、ヒューズ（ＹＵ１）を交換するのみで容易に遮断状態を解除でき、作業性の向上が可能である。
【００２７】
また、電源の入切を行うための電源スイッチ（ＳＷ１）をフィルタ基板２に備えることで、電源が遊技機１に供給された状態で遊技機１の電源のオンオフができ、電源を完全に遮断して行う遊技機１の再起動を容易に行うことができる。従来であれば、遊技機１と離れた場所にある電源設備で電源のオンオフをするか、ＡＣ２４Ｖ電源ケーブル１０を抜くしかなく、作業が繁雑で、主基板５のリセットスイッチを押しながら電源の投入というような作業が困難であった。
【００２８】
【発明の効果】
請求項１の発明によれば、電源基板の前段にフィルタ基板を備え、フィルタ回路により電源のノイズを除去していることから、電源のノイズを意識することなく、フィルタ基板と電源基板との間の電源の配線を自由に引き回すことができ、電源基板の自由な配置が可能となる。
また、電源基板とは異なる基板であるフィルタ基板に遮断回路を備えることにより、商用１００ボルト交流電源のような異常な電源が遊技機に接続された場合であっても、電源基板の前段で電源が遮断され、電源基板及びその他の基板の破損を防止することができる。
【００２９】
請求項２の発明によれば、フィルタ基板を電源が遊技機に最初に接近する位置に配設することにより、遊技機内にはノイズを含む電源が引き回されることがなく、より一層自由な電源の引き回し及び電源基板の配置が可能となる。
【００３０】
請求項３の発明によれば、フィルタ回路が過電圧保護素子で構成されていることから、高電圧サージのような過電圧が電源に混入した場合でも、過電圧が除去され、電源基板及びその他の基板の破損を防止することができる。
【００３１】
請求項４の発明によれば、遮断回路がヒューズで構成されていることから、異常な電源が遊技機に接続されたことにより電源が遮断されても、電源を正常にした後、ヒューズを交換するのみで容易に遮断状態を解除でき、作業性の向上が可能である。
【００３２】
請求項５の発明によれば、遮断回路が復帰可能な断続器で構成されていることから、異常な電源が遊技機に接続されたことにより電源が遮断されても、電源を正常にした後、早急に遮断回路の遮断状態を解除でき、作業性の向上が可能である。
【００３３】
請求項６の発明によれば、電源の入切を行うための電源スイッチをフィルタ基板に備えることで、電源が遊技機に供給された状態で遊技機の電源のオンオフができ、電源を完全に遮断して行う遊技機の再起動を容易に行うことができる。
【図面の簡単な説明】
【図１】本発明に係る遊技機の実施形態を示す背面図である。
【図２】本発明に係る遊技機の実施形態を示す電源系統図である。
【図３】本発明に係る遊技機のフィルタ基板の実施形態を示す回路図である。
【符号の説明】
１・・・・遊技機
２・・・・フィルタ基板
３・・・・電源基板
４・・・・払出制御基板
５・・・・主基板
６・・・・基板ユニット
７・・・・音声制御基板
８・・・・ランプ制御基板
９・・・・図柄制御基板
１０・・・ＡＣ２４Ｖ電源ケーブル
【図１】
2004073666.tif 000003
【図２】
2004073666.tif 000004
【図３】
2004073666.tif 000005